(57)【要約】【課題】多数のエレベータの諸種のデータをインターフォン線路を通して監視する。【解決手段】  複数台のエレベータかご11-1〜11-3と、エレベータかごに近い個所に設置される機械室２と、監視室３とを有する監視システムであって、各エレベータかご側からの監視カメラ１３，…の映像データ及び前記機械室設置の各制御盤で得られる前記エレベータ運転に関する監視・制御データを高周波成分に変換し音声データに重畳し、１つのインターフォン線路２９を通して監視室３に送信し、当該監視室３側で音声データと他の高周波成分のデータを分離し、かつ、高周波成分のデータを復号して映像データに変換し、音声データによる通話及び映像データ及び各エレベータかごの運転に関する監視・制御データを表示し監視可能とするエレベータの監視システムである。【選択図】図１
2010095363.tif 000002
【特許請求の範囲】
【請求項１】
複数台のエレベータかご内にそれぞれ設置される各監視カメラのかご内映像データと各かご側インターフォン機器の音声に関するデータと前記エレベータかごに近い個所に設置される機械室内の前記かご対応の制御盤で得られるエレベータ運転に関する監視・制御データとを監視室で監視するエレベータの監視システムにおいて、
前記監視室は、前記機械室側とインターフォン線路で接続され、かつ、送受信機及びローパスフィルタ、当該ローパスフィルタに接続される監視側インターフォン機器及び前記送受信機で受信された前記かご内映像データ及び前記エレベータ運転に関する監視・制御データを処理しモニター装置に表示する監視処理部が設けられ、
前記複数台の監視カメラの映像データ及び前記各制御盤で得られる前記エレベータ運転に関する監視・制御データを高周波成分に変換し前記音声データに重畳し、前記インターフォン線路を介して前記監視室に送信し、当該送受信機及びローパスフィルタで前記かご内映像データ及び前記各エレベータかごの運転に関する監視・制御データと前記音声データとを分離し、この分離された映像データ及び各エレベータかごの運転に関する監視・制御データを前記モニター装置に表示して監視可能にし、かつ、前記かご側インターフォン機器と前記監視側インターフォン機器との間で音声データの授受を行うことを特徴とするエレベータの監視システム。
【請求項２】
請求項１に記載のエレベータの監視システムにおいて、
前記機械室は、複数台の監視カメラのかご内映像データ、前記各エレベータかごの運転に関する監視・制御データ及び前記各かご側インターフォン機器の音声データを前記監視室及び対応するエレベータかごに中継する中継機能を有し、
この中継機能は、予め前記監視カメラの映像を複数種類の画像サイズに編集する機能を設け、前記監視処理部からの現在の表示制御指示に応じて、前記各監視カメラの映像データのデータサイズを変更し、必要に応じてサイズを変更しない他の監視カメラの映像データを送信中止とし、サイズ変更された映像データを前記１つのインターフォン線路を介して前記監視室に受け渡し表示可能とすることを特徴とするエレベータの監視システム。
【請求項３】
請求項１に記載のエレベータの監視システムにおいて、
前記監視室の監視処理部は、少なくとも前記監視室内の送受信機から通信悪化によるデータ量の減少の通知を受けたとき、前記モニター装置に受信データ量の減少による警告メッセージを表示することを特徴とするエレベータの監視システム。
【請求項４】
請求項１または請求項３に記載のエレベータの監視システムにおいて、
前記監視室の監視処理部は、通信悪化による通信データ量が減少したとき、前記分離された前記監視カメラの映像データ及び各エレベータかごの運転に関する監視・制御データの受信データ量を制限し、前記モニター装置への表示の影響を抑えることを特徴とするエレベータの監視システム。
【発明の詳細な説明】
【技術分野】
【０００１】
本発明は、１台以上のエレベータに関する諸種のデータを監視するエレベータの監視システムに関する。
【背景技術】
【０００２】
エレベータかご内には、かご内の状況を撮影するかご内監視カメラやかご内の乗客と会話するためのインターフォン機器などが設置され、外部でかご内の状況を知る手段が講じられている。
【０００３】
また、エレベータかごの運転制御を司る制御盤が設置され、この制御盤で得られたデータを外部の監視装置で取り込み、エレベータの運転状況を監視する場合もある。
【０００４】
近年、かかる監視装置では、モニター装置の画面を見ながら、監視カメラのかご内映像とエレベータ制御盤で得られるエレベータの運転に関する監視・制御データとを切替えて表示できる監視システムが提案されている（特許文献１）。
【０００５】
また、かご内の乗客とかご外部との間で会話する音声データを伝送するインターフォン線路を利用し、監視カメラの映像データを伝送するエレベータのデータ伝送システムも提案されている（特許文献２）。
【特許文献１】特開２００４−２５２７６３号公報
【特許文献２】特許第３７８７６００号公報
【発明の開示】
【発明が解決しようとする課題】
【０００６】
ところで、エレベータ設置の建屋内の監視室でエレベータの運転状況を監視する場合、監視室には、必ずかご内の乗客が外部と会話するためのインターフォン機器が設置され、さらに追加的にエレベータの動作状況を監視する監視装置及びかご内監視カメラの映像データを見るためのモニター装置が設置される。
【０００７】
以上のようにエレベータに関する諸種のデータを監視する場合、データの使用目的に応じてそれぞれ個別のデータ線を利用し、監視室に設置される各装置に送信している。そのため、使用目的に応じてそれぞれ専用のデータ線を敷設する必要がある。また、大規模な建屋になれば、エレベータの設置台数が増えてくるが、監視室に取り込むデータの使用目的及びエレベータの台数に比例してデータ線の配線数も増加してくる。
【０００８】
従って、同一の建屋内に監視室を設ける場合、監視室に取り込むデータの使用目的及びエレベータの台数に比例してデータ線の配線数が増えてくる。その結果、エレベータ設備の費用削減の１つとして、配線数の削減が要求されている。
【０００９】
そこで、特許文献２のデータ伝送システムでは、以上のような問題を解決するために、インターフォン線路を共用利用することが考えられている。
【００１０】
しかしながら、特許文献２に記載のデータ伝送システムは、一台のエレベータを対象としており、複数台のエレベータを監視する場合に適用できない。
【００１１】
また、通信距離が長くなると、単位時間当りのデータ送受信量が減少する。そのため、大きな建屋の場合には、データサイズの関係から適用できない場合が出てくる。
【００１２】
さらに、通信距離が長くなったり、エレベータの台数ごとにインターフォン線路を敷設した場合、それに伴って断線、周辺環境に応じたノイズ等が影響し、通信状況が変化してくる。通信状況が悪化した場合、単位時間当りの送受信データの最大データサイズを減らし、通信できなくなる状態を回避しているが、最大データサイズを減らした場合には必要なデータを充分に送受信できなくなり、多数のエレベータの諸種のデータを監視する場合、充分な監視ができない状態となる。
【００１３】
本発明は上記事情に鑑みてなされたもので、多数のエレベータに関する諸種のデータをインターフォン線路を利用して監視室で監視するエレベータの監視システムを提供することを目的とする。
【課題を解決するための手段】
【００１４】
上記課題を解決するために、本発明は、複数台のエレベータかご内にそれぞれ設置される各監視カメラのかご内映像データと各かご側インターフォン機器の音声に関するデータと前記エレベータかごに近い個所に設置される機械室内の前記かご対応の制御盤で得られるエレベータ運転に関する監視・制御データとを監視室で監視するエレベータの監視システムであって、
前記監視室は、前記機械室側とインターフォン線路で接続され、かつ、送受信機及びローパスフィルタ、当該ローパスフィルタに接続される監視側インターフォン機器及び前記送受信機で受信された前記かご内映像データ及び前記エレベータ運転に関する監視・制御データを処理しモニター装置に表示する監視処理部が設けられ、
前記複数台の監視カメラの映像データ及び前記各制御盤で得られる前記エレベータ運転に関する監視・制御データを高周波成分に変換し前記音声データに重畳し、前記インターフォン線路を介して前記監視室に送信し、当該送受信機及びローパスフィルタで前記かご内映像データ及び前記各エレベータかごの運転に関する監視・制御データと前記音声データとを分離し、この分離された映像データ及び各エレベータかごの運転に関する監視・制御データを前記モニター装置に表示して監視可能にし、かつ、前記かご側インターフォン機器と前記監視側インターフォン機器との間で音声データの授受を行う構成である。
【発明の効果】
【００１５】
本発明によれば、多数のエレベータに関する諸種のデータ，例えば複数台のエレベータかごの監視カメラのかご内映像データと各かご側インターフォン機器の音声に関するデータと前記複数台のエレベータかごとは別の個所に設置される機械室内の前記かご対応の制御盤で得られるエレベータ運転に関する監視・制御データとを１つのインターフォン線路を利用して監視室で監視できるエレベータの監視システムを提供できる。
【発明を実施するための最良の形態】
【００１６】
以下、本発明の実施の形態について図面を参照して説明する。  
図１は本発明に係るエレベータの監視システムの一実施の形態を示す構成図である。
【００１７】
この実施の形態例は、エレベータの比較的近い１つの機械室で複数のエレベータに関する諸種のデータデータを取り込み、１つのインターフォン線路を利用し、監視室に伝送する例である。
【００１８】
エレベータの監視システムは、昇降路内設備系１と、機械室２と、監視室３とからなる。  
昇降路内設備系１としては、横幅方向に広い１つの昇降路１０または個別に仕切り壁で分離された昇降路１０内にそれぞれ独立して運転制御される複数（例えば３台）のエレベータかご１１−１，１１−２，１１−３が設置される。各エレベータかご１１−１，１１−２，１１−３内には、それぞれインターフォン子機１２、かご内を撮影する監視カメラ１３、データを蓄積するストレージ装置１４及び送受信機１５が設置されている。ストレージ装置１４は、例えば監視カメラ１３と独立してかご上部などに設置されているが、監視カメラ１３内に組み込んだ構成であってもよい。
【００１９】
各監視カメラ１３で撮影されたかご内の映像データはストレージ装置１４に一旦記憶した後、送受信機１５で高周波成分データに変換し、各かご対応のインターフォン線路１６−１，１６−２，１６−３を通して機械室２に送られる。
【００２０】
また、各インターフォン子機１２から入力される音声データはそのまま各かご対応のインターフォン線路１６−１，１６−２，１６−３を通して機械室２に送られる。
【００２１】
機械室２は、複数のエレベータかご１１−１，１１−２，１１−３の比較的近い個所，例えば横幅方向に広い１つの昇降路１０または仕切り壁で分離された昇降路１０の上部、昇降路内あるいは代表する１つの乗場附近などに設置される。
【００２２】
この機械室２には、各エレベータかご１１−１，１１−２，１１−３と個別に対応する制御盤２０−１，２０−２，２０−３と共通制御盤２１が設けられている。
【００２３】
大規模な建物の場合、複数のエレベータかご１１−１，１１−２，１１−３を備えた複数系統Ａ〜Ｃの昇降路１０が存在し、それに伴って複数系統Ａ〜Ｃの機械室２が存在する。
【００２４】
以下、ここでは、１つの系統Ａに存在する複数のエレベータかご１１−１，１１−２，１１−３を備えた昇降路１０及び１つの機械室２について説明する。
【００２５】
各制御盤２０−１，２０−２，２０−３には、各エレベータかご１１−１，１１−２，１１−３に関する諸種のデータの送受信を司る送受信機１５，…と１対１の対応関係をもってデータの送受信を行う送受信機２２、低周波成分となる音声データを通すローパスフィルタ２３及びエレベータ対応の制御基板２４が設けられている。その他、エレベータの運転に関する監視・制御データなどを格納する記憶装置（図示せず）が設けられている。
【００２６】
各制御基板２４は、運転用プログラムに従い、共通制御盤２１と連携しながら対応するエレベータかご１１−１，１１−２，１１−３の運転状況に関する監視データデータを取り込み、監視室３に送信するとともに、監視室３からの制御指令データを取り込み、エレベータかご１１−１，１１−２，１１−３の運転動作を制御する。
【００２７】
一方、共通制御盤２１は、群制御用プログラムに従い、乗場呼び階に応じて最適なエレベータかご例えば１１−１を割り付け制御などを行う群管理制御基板２５、メンテナンス時などに図示しないスイッチオンしエレベータかご１１−１，１１−２，１１−３のインターフォン子機１２と会話するインターフォン親機２６、集線装置２７、送受信機２８等が設けられている。
【００２８】
集線装置２７は、各制御盤２０−１，２０−２，２０−３の送受信機２２の復号データ、制御基板２４の制御データその他の群管理制御基板２５からの制御データなどを受け取って一時記憶した後、受け取った順に順次に送受信機２８に送出する。
【００２９】
送受信機２８は受け取ったデータのうち、映像データ及びエレベータかごの運転に関する監視・制御データを高周波成分データに変換し、機械室２から監視室３に繋がっている１つのインターフォン線路２９上の音声データに重畳し監視室３に送信する。
【００３０】
監視室３には、系統Ａ〜Ｃ別のローパスフィルタ３１と、インターフォン親機３２、系統Ａ〜Ｃ別の送受信機３３、集線装置３４、ＣＰＵを備えた監視処理部（例えばパソコン）３５及びモニター装置３６が設けられている。
【００３１】
次に、以上のようなエレベータの監視システムの作用について説明する。
【００３２】
先ず、エレベータかご１１−１内の乗客が外部と会話する場合、乗客の音声データがインターフォン子機１２から入力され、送受信機１５に送られる。ここで、送受信機１５は、その音声データをそのままかご対応のインターフォン線路１６−１を通して機械室２へ送る。機械室２では、エレベータかご１１−１側からの音声データがかご対応の制御盤２０−１のローパスフィルタ２３に送られ、ここでインターフォン線路１６−１内で混入される高周波成分であるノイズなどを取り除いた後、送受信機２８に送出する。
【００３３】
送受信機２８は、受け取った音声データをそのままインターフォン線路２９を通して監視室３へ送信する。監視室３のローパスフィルタ３１はインターフォン線路２９で混入されるノイズなどを除去した後、インターフォン親機３２から出力し、かご内乗客の音声データを監視員に知らせる。
【００３４】
一方、監視室インターフォン親機３２からの音声データは、対応するローパスフィルタ３１、インターフォン線路２９、ローパスフィルタ２３を通り、対応するエレベータかご１１−１の送受信機１５に送信する。この送受信機１５は、監視室インターフォン親機３２からの音声データを受信し、インターフォン子機１２から出力し、かご内の乗客に通知する。
【００３５】
次に、エレベータかご１１−１の監視カメラ１３で撮像された映像データを監視室３に送信する例について説明する。
【００３６】
監視カメラ１３で撮影されたかご内の映像データはストレージ装置１４に記憶した後、送受信機１５に送られる。送受信機１５では、映像データを高周波成分データに変換しインターフォン線路１６−１を介して機械室２に送信するが、このとき高周波成分データはインターフォン子機１２から乗客の音声データが入力されている場合にはその乗客の音声データに重畳して送信し、インターフォン子機１２から乗客の音声データが入力されていない場合には音声データ無入力時の所定レベル（例えば零レベル）の音声データに重畳して送信する。
【００３７】
機械室２側では、エレベータかご１１−１側の送受信機１５から送られてくる高周波成分データを送受信機２２で受信し復号することによって映像データを取り出し、集線装置２７に入力する。
【００３８】
集線装置２７は、前述するように映像データを含む制御盤２０−１，２０−２，２０−３の各構成要素２３，２４及び共通制御盤２１の群管理制御基板２５からのデータを受け取って一時記憶した後、受け取った順番に送受信機２８に送出する。
【００３９】
送受信機２８は、監視カメラ１３の映像データを受け取ると、高周波成分データに変換した後、前述同様に音声データに重畳し、インターフォン線路２９を介して監視室３に送信する。
【００４０】
監視室３では、機械室２と同様にローパスフィルタ３１及び送受信機３３で音声データと高周波成分データに分離し、高周波成分データが対応する送受信機３３に入力される。送受信機３３は、入力された高周波成分データを復号し、映像データに変換した後、集線装置３４を通して監視処理部（例えばパソコン）３５に送る。監視処理部３５は、モニター装置３６の画面の所定領域に必要な監視データなどが表示するように処理した後、モニター装置３６に表示する。
【００４１】
図２は監視処理部３５で処理された結果の画像のイメージを示す図である。すなわち、モニター装置３６に表示される画像イメージとしては、例えば図示左側に各昇降路１０のかごごとに縦方向に階高さを表わすバーＡ１〜Ａ３が表示され、各バーＡ１〜Ａ３内には現在のエレベータかご１１−１〜１１−３のかご位置が四角形に表示され、さらに各バーＡ１〜Ａ３の下部には現在停止中−，下降中↓，上昇中↑を表わすマークが表示されている。
【００４２】
一方、図示左側の画面には、監視カメラ１３で撮影された各エレベータかご１１−１〜１１−３のかご内映像が表示される。３６ａは各エレベータかご１１−１〜１１−３の運転に関する諸種のデータを表示する表示領域、３６ｂは監視カメラ１３の映像データを表示する表示領域である。
【００４３】
各制御基板２４は、所定の運転用プログラムに従って対応するエレベータかご１１−１〜１１−３を運転制御するが、このとき、制御基板２４で受け取ったデータ及び処理結果の制御データは集線装置２７にも送られ、映像データと同様に高周波成分に変換した後、機械室３の送受信機３３，集線装置３５を通って監視処理部３５に送られ、ここで所定の処理を行った後、その処理結果のデータをモニター装置３６に表示し、さらに各エレベータかご１１−１〜１１−３の現在位置が図２に示すように左側のバーＡ１〜Ａ３内に表示する。
【００４４】
従って、以上のような実施の形態によれば、各監視カメラ１３の映像データやエレベータかご１１−１〜１１−３の運転に関する監視・制御データを発生順番に受け付けて高周波成分に変換した後、インターフォン子機１２の音声に関するデータに重畳し、機械室２を経由して監視室３に送信するので、複数台の監視カメラ１３，…の映像及び複数台のエレベータかご１１−１〜１１−３の運転状況に関するデータを１つのインターフォン線路２９を利用して監視室３とやり取りすることができ、使用目的が異なるデータであってもインターフォン線路を利用して離れた監視室３に送信でき、データ伝送の配線数及び配線費用を大幅に削減できる。
【００４５】
（他の実施の形態）  
（１）  一つの機械室２で例えば８台のエレベータかご１１−１〜１１−８（１１−４〜１１−８は図示せず）を管理する場合、８台分の監視カメラ１３，…の映像データを送信する必要がある。ここで、全ての映像データを送信すると、インターフォン線路２９で送受信できる単位時間当りの送受信可能なデータサイズを超えてしまう場合がある。
【００４６】
そこで、本発明に係るエレベータの監視システムでは、次の処理を実行する。  
機械室２の集線装置２７あるいは送受信機２８においては、監視処理部３５から現在のモニター装置３６に表示中の映像データの表示制御指示を受け取り、各監視カメラ１３，…で撮像された映像データを監視室３に送信するときに予め大・中・小の３種類の画像サイズで変更し送信する画像編集ツールを用意する。例えば表示制御指示に基づき、大のサイズを１とした時、中のサイズを１／４、小のサイズを１／８とする。
【００４７】
監視処理部３５が一台のエレベータかご１１−１の監視カメラ１３の映像データのみを表示するとき、監視カメラ１３の映像データを台のサイズとする表示制御指示を機械室２に送る。
【００４８】
機械室２の送受信機２８は、表示制御指示に基づき、画像編集ツールを用いて、該当映像データのサイズを調整し、大のサイズの映像データとし、高周波成分に変換して監視室３に送信する。このとき、一台の監視カメラ１３の映像データだけを表示しているので、機械室２の送受信機２８は、他の７台の監視カメラ１３の映像データの送信を中止する。
【００４９】
また、監視処理部３５がモニター装置３６の一画面に４台分の監視カメラ１３の映像データを表示する場合、監視処理部３５から監視カメラ１３を特定し４分割表示制御指示を受け取ると、送受信機２８は、４台分の監視カメラ１３の映像データのサイズを調整して中サイズに編集した後、高周波成分に変換して監視室３に送信する。このとき、４台の監視カメラ１３の映像データが表示され、他の４台の監視カメラ１３の映像データの送信は中止となる。
【００５０】
さらに、８台の監視カメラ１３の映像データを表示する場合、８台分の監視カメラ１３の映像データを小サイズに変換し、高周波成分に変換して監視室３に送信する。
【００５１】
従って、以上のような実施の形態によれば、各エレベータかご１１−１，…から送られてくる映像のデータサイズを変更して監視室３に送信するので、かご台数や監視カメラ１３の設置台数が増えても、映像データのサイズを調整して受け渡すことができる。その結果、インターフォン線路２９が長く、単位時間当りの送受信データ量に制限があっても、システムの構成を維持しつつ確実に多数の監視カメラの映像データを監視室３に送信できる。
【００５２】
（２）  また、監視室３のパソコンである監視処理部３５は、SNMP（Simple  Network  Management  Protcol）のような通信機器監視用プロトコルを備え、通信用プロトコルの手順に従って通信機器である送受信機２８、３３，…の通信状態を監視する。
【００５３】
このとき、送受信機２８、３３，…の送受信状態から、通信状態の悪化によって送受信機２８からの単位時間当りの送受信可能なデータサイズを減らした場合、通信可能なデータサイズに減らした旨の情報を監視処理部３５に通知する。ここで、通信状態の悪化としては、例えばインターフォン線路２９の設置状況や外部環境に応じて混入するノイズなどによる悪化である。
【００５４】
監視処理部３５は、各送受信機３３から監視カメラ１３の映像データやエレベータ制御盤２０−１から２０−３の運転に関する監視・制御データを通信可能な必要データサイズよりも減少させたことを受け取ると、モニター装置３６に通信データ量の減少を知らせる警告メッセージを表示する。
【００５５】
図３は通信データ量減少による警告メッセージ３７の表示イメージ例を示す図である。すなわち、表示画面の右側下部の適宜な表示領域に例えば「エラーが発生したため、一旦カメラ映像を中止します。」という警告メッセージを表示する。
【００５６】
従って、以上のような構成とすることにより、通信状況が悪化し、充分な通信ができなくなった場合には、警告メッセージをモニター装置３６に表示し監視員に知らせるので、通信状態の悪化状態を容易に把握することができる。
【００５７】
（３）  さらに、機械室２の送受信機２８は、インターフォン線路２９が長い場合、送信可能なデータ量が減ってしまうことから、常に全てのデータを送信するのではなく、通信可能な必要のデータ量を送信してもよい。このとき、監視室３の監視処理部３５は、自身の送受信機３３の受信状態からデータ量が減ったと判断したとき、受信するデータサイズを調整し、モニター装置３６の表示への影響を最小限に抑えるために、例えば監視カメラ１３の映像データ量を制限するようにしてもよい。
【００５８】
具体的な制限手段としては、例えば監視カメラ１３から取得した映像データの解像度の減少させるとか、監視カメラ１３から映像データを取得する頻度を下げるとか、必要に応じて通信の悪化状態が大きい場合には監視カメラ１３からの映像データの取得を停止し、エレベータの監視・制御に関するデータのみを取得し、最低限必要なデータだけをモニター装置３６に表示できるようにしてもよい。
【００５９】
このような構成とすることにより、長い距離のインターフォン線路２９を設けた場合であっても、受信データ量を抑制しながら必要なデータを取り込んでモニター表示できる。また、配線の接続状態やノイズの状況を監視し、悪化状態になったとき、エレベータの監視・制御に関するデータのみに制限することにより、接続の信頼性を評価しつつ、送受信データを授受できる。
【００６０】
その他、本発明は、上記実施の形態に限定されるものでなく、その要旨を逸脱しない範囲で種々変形して実施することが可能である。例えば昇降路１０の各エレベータかご１１−１〜１１−３側からの映像データ及び機械室２の各制御盤２０−１〜２０−３からのエレベータの運転に関する制御・監視データを監視室３側に送信する例について述べているが、監視室３側から監視結果の制御に関するデータを機械室２側及び各エレベータかご１１−１〜１１−３側へ送信する場合も同様に送信できることは言うまでもない。
【図面の簡単な説明】
【００６１】
【図１】本発明に係るエレベータの監視システムの一実施の形態を示す構成図。
【図２】監視室の監視処理部で処理された結果を表示部に表示する画像イメージ図。
【図３】監視室のモニター用表示部に通信悪化状態であることの警告メッセージの表示イメージ図。
【符号の説明】
【００６２】
１…昇降路内設備系、２…機械室、３…監視室、１０…昇降路、ご１１−１，１１−２，１１−３…エレベータかご、１２…インターフォン子機、１３…監視カメラ、１４…ストレージ装置、１５…送受信機、１６…インターフォン線路、２０−１，２０−２，２０−３…制御盤、２１…共通制御盤、２２…送受信機、２３…ローパスフィルタ、２４…制御基板、２５…群管理制御基板、２７…集線装置、２８…送受信機、２９…インターフォン線路、３１…ローパスフィルタ、３２…インターフォン親機、３３…送受信機、３４…集線装置、３５…監視処理部（例えばパソコン）、３６…モニター装置（表示部）。
【図１】
2010095363.tif 000003
【図２】
2010095363.tif 000004
【図３】
2010095363.tif 000005